(57)【要約】【課題】本発明は、極めて商品価値の高い画期的なパチンコ台やパチスロ台などの遊技台に付設される不正防止具を提供することを目的とする。【解決手段】パチンコ店内の島１に設置するための設置用枠部２と、この設置用枠部２の正面開口部に開閉自在に枢着され、パチンコ機器やパチスロ機器などの遊戯機器を具備した開閉部３とから成るパチンコ台やパチスロ台などの遊技台に付設される不正防止具であって、前記設置用枠部２の周面に被覆状態に付設される金属製のガード板４を設けて構成されたものである。【選択図】　　　　図１
2004097284.tif 000002
【特許請求の範囲】
【請求項１】
パチンコ店内の島に設置するための設置用枠部と、この設置用枠部の正面開口部に開閉自在に枢着され、パチンコ機器やパチスロ機器などの遊戯機器を具備した開閉部とから成るパチンコ台やパチスロ台などの遊技台に付設される不正防止具であって、前記設置用枠部の周面に被覆状態に付設される金属製のガード板を設けて構成されていることを特徴とするパチンコ台やパチスロ台などの遊技台に付設される不正防止具。
【請求項２】
パチンコ店内の島に設置するための設置用枠部と、この設置用枠部の正面開口部に開閉自在に枢着され、パチンコ機器やパチスロ機器などの遊戯機器を具備した開閉部とから成るパチンコ台やパチスロ台などの遊技台に付設される不正防止具であって、前記設置用枠部の周面に被覆状態に付設されるガード板を設け、このガード板を設置用枠部の周面に付設した際、設置用枠部の正面開口部縁から突出する突出部が設置用枠部と開閉部との隙間を閉塞するように構成されていることを特徴とするパチンコ台やパチスロ台などの遊技台に付設される不正防止具。
【請求項３】
前記ガード板を金属製の板材をコ字状若しくはＬ字状に折曲形成して構成し、設置用枠部に付設した際、該設置用枠部の上面及び側面を被覆し得るように構成されていることを特徴とする請求項１，２のいずれか１項に記載のパチンコ台やパチスロ台などの遊技台に付設される不正防止具。
【発明の詳細な説明】
【０００１】
【発明の属する技術分野】
本発明は、パチンコ台やパチスロ台などの遊技台に付設される不正防止具に関するものである。
【０００２】
【従来の技術及び発明が解決しようとする課題】
近年、パチンコ店において、パチンコ台やパチスロ台などの遊技台の内部の電気回路をショートさせたり、勝手に開閉部を開けて遊戯玉（遊戯コイン）を抜き取ったり、パチンコ機器やパチスロ機器などの遊戯機器に不正な部品を取付けて不正に多くの遊戯玉（遊戯コイン）を得ようとする悪質な犯罪が益々増えており、これらの犯罪に対して、遊技台の製造メーカーやパチンコ店では様々な対策が考慮され、施されているが、この不正を行う遊戯者（以下、不正者という。）による犯罪は後を絶たない。
【０００３】
本発明は、上述の問題点に着目し、従来にない画期的な作用効果を発揮するパチンコ台やパチスロ台などの遊技台に付設される不正防止具を提供するものである。
【０００４】
【課題を解決するための手段】
添付図面を参照して本発明の要旨を説明する。
【０００５】
パチンコ店内の島１に設置するための設置用枠部２と、この設置用枠部２の正面開口部に開閉自在に枢着され、パチンコ機器やパチスロ機器などの遊戯機器を具備した開閉部３とから成るパチンコ台やパチスロ台などの遊技台に付設される不正防止具であって、前記設置用枠部２の周面に被覆状態に付設される金属製のガード板４を設けて構成されていることを特徴とするパチンコ台やパチスロ台などの遊技台に付設される不正防止具に係るものである。
【０００６】
また、パチンコ店内の島１に設置するための設置用枠部２と、この設置用枠部２の正面開口部に開閉自在に枢着され、パチンコ機器やパチスロ機器などの遊戯機器を具備した開閉部３とから成るパチンコ台やパチスロ台などの遊技台に付設される不正防止具であって、前記設置用枠部２の周面に被覆状態に付設されるガード板４を設け、このガード板４を設置用枠部２の周面に付設した際、設置用枠部２の正面開口部縁から突出する突出部４ａが設置用枠部２と開閉部３との隙間を閉塞するように構成されていることを特徴とするパチンコ台やパチスロ台などの遊技台に付設される不正防止具に係るものである。
【０００７】
また、前記ガード板４を金属製の板材をコ字状若しくはＬ字状に折曲形成して構成し、設置用枠部２に付設した際、該設置用枠部２の上面及び側面を被覆し得るように構成されていることを特徴とする請求項１，２のいずれか１項に記載のパチンコ台やパチスロ台などの遊技台に付設される不正防止具に係るものである。
【０００８】
【発明の実施の形態】
好適と考える本発明の実施の形態（発明をどのように実施するか）を、図面に基づいてその作用効果を示して簡単に説明する。
【０００９】
請求項１，２に係る発明は、パチンコ台やパチスロ台などの遊技台を構成する設置用枠部２はガード板４により保護され、更に、この設置用枠部２の正面開口部縁から突出するガード板４の突出部４ａが設置用枠部２と開閉部３との隙間を閉塞する。
【００１０】
これは、近年益々急増する不正の手口を防止することに貢献する。
【００１１】
即ち、例えば設置用枠部２（一般に木製）を破壊して強引に開閉部３を開けて内部に細工をしたり、設置用枠部２と開閉部３との間に生じる隙間からピアノ線や異物を挿入して電気回路をショートさせたりする悪質な不正が急増している。
【００１２】
そこで、前述した構造により、これらの不正に対し、ガード板４により設置用枠部２の破壊を防止することができ、しかも、設置用枠部２と開閉部３との隙間からの異物の挿入を防止することができ、しかも、ガード板４が付設されていることで不正者による不正行為を行う意欲を減退させることにもなる。
【００１３】
【実施例】
本発明の具体的な実施例について図面に基づいて説明する。
【００１４】
本実施例は、パチンコ店内の島１に設置するための設置用枠部２と、この設置用枠部２の正面開口部２ａに開閉自在に枢着され、パチンコ機器やパチスロ機器などの遊戯機器を具備した開閉部３とから成るパチンコ台やパチスロ台などの既存の遊技台Ｐに付設される不正防止具であって、前記設置用枠部２の周面に被覆状態に付設されるガード板４を設けたものである。尚、本明細書で言うパチンコ機器やパチスロ機器などの遊戯機器とは、コンピュータなどの電子回路部、図柄表示部、遊戯玉や遊戯コインなどの供給部、遊戯操作部（ハンドル、スロット動作レバー）などの各必須構成部品を総称して言う。
【００１５】
具体的には、ガード板４は、図１，２に図示したように適宜な金属製の薄板材を正面視コ字状に形成したものであり、木製ボックス状の設置用枠部２の周面（上面及び左右側面）に被覆状態に付設し得るように構成されている。尚、ガード板４は正面視コ字状に限らず、Ｌ字状やロ字状にするなど、本実施例の特性を発揮する構成であれば適宜採用するものであり、しかも、金属製に限られるものではなく、本実施例の特性を発揮する素材であれば適宜採用するものである。
【００１６】
本実施例では、ガード板４を設置用枠部２の周面全体を被覆するようにはせず、正面部分から中央部分までを被覆するようにしているが、これは、不正される可能性のある部分を覆うだけで十分であるからである。
【００１７】
また、ガード板４は、設置用枠部２に付設される際にはネジ止めにより止着され、このガード板４を設置用枠部２の周面に付設した際、設置用枠部２の正面開口部縁から一部突出するようにし、このガード板４の突出部４ａが設置用枠部２と開閉部３との間（隙間）を架設状態となって閉塞するように構成されている。
【００１８】
この突出部４ａの突出度合いは、設置用枠部２と開閉部３との隙間を確実に異物を挿入できないように閉塞して不正を防止し得る突出度合いであるのは勿論、開閉部３の開閉に支障を来たさず且つ不正者にその存在（不正は不可能であること）をアピールできる程度の突出量となるよう適宜考慮されて設定される。
【００１９】
また、ガード板４の突出部４ａは、設置用枠部２に対して開閉部３が枢着する枢着部側には設けられず（片側が切り欠かれたような状態）、開閉部３の開閉作用に支障を来たさないように構成されているのが望ましい。
【００２０】
本実施例は上述のように構成したから、ガード板４を設置用枠部２に付設し、この状態で遊技台Ｐをパチンコ店内に設けられる島１の遊技台設置部１ａに設置する。
【００２１】
この状態で、仮に不正者が木製部分である設置用枠部２をドリルやバールなどで破壊しようとしても金属製のガード板４により保護されており、また、設置用枠部２と開閉部３との隙間にピアノ線や針金などの異物を挿入しようとしても、当該隙間は設置用枠部２の前方開口部縁から突出するガード板４の突出部４ａの存在により行うことができない。
【００２２】
また、本実施例は、遊技台１の脇から突出するガード板４の突出部４ａを見て不正者の意欲を減退することができる。
【００２３】
また、本実施例は、簡易構造故に既存の遊技台に対する設置作業性が極めて良好であり、しかも、コスト安にして量産性に秀れることになる。
【００２４】
尚、本発明は、本実施例に限られるものではなく、各構成要件の具体的構成は適宜設計し得るものである。
【００２５】
【発明の効果】
請求項１，２に係る発明は上述のように構成したから、既存構造の遊技台を構成する設置用枠部に付設するだけで、勝手に開閉部を開けてしまうなどの不正行為を確実に防止することができるなど極めて商品価値の高い画期的なパチンコ台やパチスロ台などの遊技台に付設される不正防止具となる。
【００２６】
また、請求項３記載の発明においては、簡易構造故に設置への設置作業性が極めて良好であり、しかも、コスト安にして量産性に秀れることになり、ひいてはその普及率が望めることになるなど極めて商品価値の高い画期的なパチンコ台やパチスロ台などの遊技台に付設される不正防止具となる。
【図面の簡単な説明】
【図１】本実施例の使用状態を説明する斜視図である。
【図２】本実施例に係る要部を示す斜視図である。
【図３】本実施例の使用状態を説明する斜視図である。
【図４】本実施例に係る要部の平断面図である。
【図５】本実施例に係る要部の部分拡大断面図である。
【符号の説明】
１　島
２　設置用枠部
３　開閉部
４　ガード板
４ａ　突出部
【図１】
2004097284.tif 000003
【図２】
2004097284.tif 000004
【図３】
2004097284.tif 000005
【図４】
2004097284.tif 000006
【図５】
2004097284.tif 000007